(57)【要約】【課題】簡単な操作でユーザが所望の撮影条件を選択することができる電子カメラを提供する。【解決手段】複数の撮影シーンを記録するとともに、複数の撮影シーンの各々に対応付けて、構図決定の補助枠および構図に基づく撮影条件を含む複数のアシストメニューを記録する記録部と、記録部に記録された複数の撮影シーンから、一つの撮影シーンをユーザの選択操作に応じて選択する撮影シーン選択部と、撮影シーン選択部により選択された一つの撮影シーンに対応付けられた複数のアシストメニューを表示する表示部と、表示部に表示された複数のアシストメニューから、一つのアシストメニューをユーザの選択操作に応じて選択するアシストメニュー選択部と、アシストメニュー選択部により選択された一つのアシストメニューの構図決定の補助枠を用い、一つのアシストメニューの撮影条件を設定して撮影を行う撮影部とを備える。【選択図】      図１
2004247869.tif 000002
【特許請求の範囲】
【請求項１】
複数の撮影シーンを記録するとともに、前記複数の撮影シーンの各々に対応付けて、構図決定の補助枠および前記構図に基づく撮影条件を含む複数のアシストメニューを記録する記録部と、
前記記録部に記録された前記複数の撮影シーンから、一つの撮影シーンをユーザの選択操作に応じて選択する撮影シーン選択部と、
前記撮影シーン選択部により選択された前記一つの撮影シーンに対応付けられた前記複数のアシストメニューを表示する表示部と、
前記表示部に表示された前記複数のアシストメニューから、一つのアシストメニューをユーザの選択操作に応じて選択するアシストメニュー選択部と、
前記アシストメニュー選択部により選択された前記一つのアシストメニューの前記構図決定の補助枠を用い、前記一つのアシストメニューの前記撮影条件を設定して撮影を行う撮影部とを備えたことを特徴とする電子カメラ。
【請求項２】
複数の撮影シーンを記録するとともに、前記複数の撮影シーンの各々に対応付けて、撮影時の測距条件と測光条件との少なくとも一方を含む複数のアシストメニューを記録する記録部と、
前記記録部に記録された前記複数の撮影シーンから、一つの撮影シーンをユーザの選択操作に応じて選択する撮影シーン選択部と、
前記撮影シーン選択部により選択された前記一つの撮影シーンに対応付けられた前記複数のアシストメニューを表示する表示部と、
前記表示部に表示された前記複数のアシストメニューから、一つのアシストメニューをユーザの選択操作に応じて選択するアシストメニュー選択部と、
前記アシストメニュー選択部により選択された前記一つのアシストメニューの前記構図決定の補助枠を用い、前記一つのアシストメニューの前記撮影条件を設定して撮影を行う撮影部とを備えたことを特徴とする電子カメラ。
【請求項３】
請求項１または請求項２に記載の電子カメラにおいて、
前記撮影シーン選択部は、前記ユーザにより回転操作されることで前記選択を行う操作部を備え、
前記表示部は、前記操作部の状態を、前後の選択肢を視覚的に認識可能に表示することを特徴とする電子カメラ。
【発明の詳細な説明】
【０００１】
【発明の属する技術分野】
本発明は、撮影シーンごとに撮像動作や画像処理の撮影条件が予め定められ、その撮影シーンの撮影条件を設定して撮影を実行する電子カメラに関する。
【０００２】
【従来の技術】
従来より、風景や夜景など特定の撮影シーンごとに撮像動作や画像処理の撮影条件が予め定められ、その撮影シーンの撮影条件を設定して撮影を実行する電子カメラが知られている（例えば、特許文献１参照）。
また、ユーザによる撮影を補助するため、構図決定の補助枠の表示などを行う機能を備えた電子カメラが知られている。
【０００３】
【特許文献１】
特開２００１−３１１９７７号公報
【０００４】
【発明が解決しようとする課題】
しかし、前述した撮影シーンと構図との組み合わせで想定される撮影条件は多数ある。したがって、その多数の撮影条件を予め定めておき、その中からユーザが所望の撮影条件を選択する場合、選択肢が多くなる。そのため、ユーザが所望の撮影シーンを速やかに選択するのは困難であり、シャッタチャンスを逃してしまう場合があった。
【０００５】
本発明は、上記問題に鑑みてなされたものであり、簡単な操作でユーザが所望の撮影条件を選択することができる電子カメラを提供することを目的とする。
【０００６】
【課題を解決するための手段】
請求項１に記載の電子カメラは、複数の撮影シーンを記録するとともに、前記複数の撮影シーンの各々に対応付けて、構図決定の補助枠および前記構図に基づく撮影条件を含む複数のアシストメニューを記録する記録部と、前記記録部に記録された前記複数の撮影シーンから、一つの撮影シーンをユーザの選択操作に応じて選択する撮影シーン選択部と、前記撮影シーン選択部により選択された前記一つの撮影シーンに対応付けられた前記複数のアシストメニューを表示する表示部と、前記表示部に表示された前記複数のアシストメニューから、一つのアシストメニューをユーザの選択操作に応じて選択するアシストメニュー選択部と、前記アシストメニュー選択部により選択された前記一つのアシストメニューの前記構図決定の補助枠を用い、前記一つのアシストメニューの前記撮影条件を設定して撮影を行う撮影部とを備えたことを特徴とする。
【０００７】
請求項２に記載の電子カメラは、複数の撮影シーンを記録するとともに、前記複数の撮影シーンの各々に対応付けて、撮影時の測距条件と測光条件との少なくとも一方を含む複数のアシストメニューを記録する記録部と、前記記録部に記録された前記複数の撮影シーンから、一つの撮影シーンをユーザの選択操作に応じて選択する撮影シーン選択部と、前記撮影シーン選択部により選択された前記一つの撮影シーンに対応付けられた前記複数のアシストメニューを表示する表示部と、前記表示部に表示された前記複数のアシストメニューから、一つのアシストメニューをユーザの選択操作に応じて選択するアシストメニュー選択部と、前記アシストメニュー選択部により選択された前記一つのアシストメニューの前記構図決定の補助枠を用い、前記一つのアシストメニューの前記撮影条件を設定して撮影を行う撮影部とを備えたことを特徴とする。
【０００８】
請求項３に記載の電子カメラは、請求項１または請求項２に記載の電子カメラにおいて、前記撮影シーン選択部は、前記ユーザにより回転操作されることで前記選択を行う操作部を備え、前記表示部は、前記操作部の状態を、前後の選択肢を視覚的に認識可能に表示することを特徴とする。
【０００９】
【発明の実施の形態】
以下、図面を用いて、本発明の実施形態について詳細な説明を行う。
図１は、本発明の実施形態における電子カメラ１の構成を示すブロック図である。
図２Ａは、本発明の実施形態における電子カメラ１の上面の外観を示す図であり、図２Ｂは、本発明の実施形態における電子カメラ１の背面の外観を示す図である。
【００１０】
電子カメラ１は、図１に示すように、撮像部１０、制御部１１、画像処理部１２、表示処理部１３を備えていると共に、メモリカード（カード状のリムーバブルメモリ）１４とのインタフェースをとるメモリカード用インタフェース部１５を備えており、これらはバスを介して相互に接続されている。
なお、撮像部１０は、不図示のレンズ、被写体の明るさや撮影距離などを測定する各種センサ、撮像素子、Ａ／Ｄ変換器などを備えている。
【００１１】
また、電子カメラ１は、操作部２０と液晶モニタ２５とを備えている。図１において、操作部２０の出力は制御部１１に接続され、液晶モニタ２５には表示処理部１３の出力が接続される。なお、操作部２０は、図２Ａおよび図２Ｂに示すように、電源のＯＮ／ＯＦＦおよび撮像動作の開始にかかわるレリーズボタン２１、後述するユーザ操作にかかわるセレクトダイアル２２、メニューボタン２３、十字キー２４を含む。
【００１２】
また、制御部１１は、不図示のメモリを備え、後述する撮影シーン、撮影シーンごとのアシストメニュー、各設定時のメニュー画面などが記録されている（詳細は後述する）。
撮影が行われる際には、制御部１１の指示に従って、撮像部１０を介して撮像された画像は、画像処理部１２において所定の画像処理が施され、メモリカード用インタフェース部１５を介してメモリカード１４に記録される。また、画像の再生が行われる場合は、制御部１１の指示に従って、メモリカード用インタフェース部１５を介してメモリカード１４から画像が読み出され、表示処理部１３を介して液晶モニタ２５に表示される。
【００１３】
レリーズボタン２１、セレクトダイアル２２は、図２Ａに示すように、電子カメラ１の上面に設けられている。また、メニューボタン２３、十字キー２４、液晶モニタ２５は、図２Ｂに示すように、電子カメラ１の背面に設けられている。
なお、レリーズボタン２１は、ユーザにより回転操作および押圧操作可能な部材であり、回転操作されると電源ボタンとして機能し、押圧操作されるとレリーズボタンとして機能する。
【００１４】
セレクトダイアル２２は、ユーザにより回転操作可能な部材であり、表面に、動画撮影のマーク２６、オート撮影のマーク２７、シーン撮影のマーク２８、とともに、ポートレートモードのマーク２９、夜景ポートレートモードのマーク３０、風景モードのマーク３１、スポーツモードのマーク３２が描かれている。ユーザは、これらのマーク（２６〜３２）のいずれかを、電子カメラ１の上面に設けられた基準のマーク３３に合わせることにより、撮影シーン（ポートレートモード、風景モードなど）や撮影モード（オート撮影、動画撮影など）を選択することができる（詳細は後述する）。
【００１５】
なお、本実施形態では、２種類の撮影シーンがある。１つは、前述したセレクトダイアル２２のシーン撮影のマーク２８を基準のマーク３３に合わせることにより選択される撮影シーンであり、もう１つは、セレクトダイアル２２のポートレートモードのマーク２９、夜景ポートレートモードのマーク３０、風景モードのマーク３１、スポーツモードのマーク３２のいずれかを基準のマーク３３に合わせることにより選択される撮影シーンである。これらの撮影シーンは、後述するアシストメニューを備えているアシスト機能付き撮影シーンである（詳細は後述する）。
【００１６】
なお、上記したように、ユーザがセレクトダイアル２２を回転操作して選択を行う場合、制御部１１はこれを検知し、表示処理部１３を介して、液晶モニタ２５に図３に示すような表示を行う。制御部１１は、図３Ａに示すように、液晶モニタ２５の上の部分にサブウィンドウ３４を表示し、サブウィンドウ３４以外の部分にはスルー画を表示する。そして、制御部１１は、サブウィンドウ３４の中央に、現在基準のマーク３３に合わせられているマーク（例えば図２Ａの２６）と同じマークを表示し、その左右に前後の選択肢と同じマーク（例えば図２Ｂの２７）を表示する。
【００１７】
特に、現在基準のマーク３３に合わせられているマークは明暗を反転させて、他のマークと区別できるようにする。そして、セレクトダイアル２２が回転操作されるたびに、サブウィンドウ３４内の表示を図３Ｂ〜図３Ｇに示すように更新する。
なお、現在基準のマーク３３に合わせられているマークは明暗を反転させるのではなく、色や大きさを変えることにより他のマークと区別できるようにしても良い。また、図４に示すように、セレクトダイアル２２の絵を表示するなど、前後の選択肢を液晶モニタ２５上で視覚的に認識可能であれば、どのような表示形態であっても良い。
【００１８】
十字キー２４は上下左右４方向の何れかを選択することができるキーであり、メニューボタン２３とともに、後述するメニュー選択の際に用いられる。
なお、制御部１１、表示処理部１３、操作部２０、液晶モニタ２５は、請求項の「撮影シーン選択部」および「アシストメニュー選択部」に対応する。また、制御部１１、表示処理部１３、液晶モニタ２５は、請求項の「表示部」に対応し、撮像部１０、制御部１１は、請求項の「撮影部」に対応する。
【００１９】
以上説明したような構成の電子カメラ１において、レリーズボタン２１が回転操作されると、制御部１１はこれを検知し、動作を開始する。
動作開始後、セレクトダイアル２２の動画撮影のマーク２６が、基準のマーク３３に合わせられている状態において、レリーズボタン２１が押圧されると、制御部１１はこれを検知し、各部に動画撮影実行の指示を行う。また、セレクトダイアル２２のオート撮影のマーク２７が、基準のマーク３３に合わせられている状態において、レリーズボタン２１が押圧されると、制御部１１はこれを検知し、各部にオート撮影実行の指示を行う。なお、動画撮影およびオート撮影時の具体的な動作については、公知技術と同様であるため説明を省略する。
【００２０】
セレクトダイアル２２のシーン撮影のマーク２８が、基準のマーク３３に合わせられると、制御部１１はこれを検知し、表示処理部１３を介して、液晶モニタ２５にメニュー画面を表示する。
図５は、本発明の実施形態における電子カメラ１の液晶モニタ２５に表示されるメニュー画面の例を示す図である。図５における「パーティー」、「海・雪」、「夕焼け」、「トワイライト」、「夜景」、「クローズアップ」、「ミュージアム」、「打ち上げ花火」、「モノクロコピー」、「逆光」は制御部１１内の不図示のメモリに記録されている撮影シーンである。なお、このようなメニュー画面上の撮影シーンの選択は、十字キー２４を操作することによって実現される。
【００２１】
そして、制御部１１は、選択された撮影シーンごとに、制御部１１内に記録された撮影条件を設定し、レリーズボタン２１が押圧されると、各部を介して撮影を行う。なお、各撮影シーンごとの撮影条件は制御部１１内の不図示のメモリに予め記録されている。
以下、本発明の特徴であるアシスト機能付き撮影シーンについて説明する。本実施形態におけるアシスト機能付き撮影シーンは、セレクトダイアル２２を用いて選択される「ポートレート」、「夜景ポートレート」、「風景」、「スポーツ」の４種類である。以下、４つのアシスト機能付き撮影シーンについて順番に説明する。なお、以下では、「アシスト機能付き撮影シーン」を単に「撮影シーン」と称する。
【００２２】
セレクトダイアル２２のポートレートモードのマーク２９が、基準のマーク３３に合わせられている状態において、メニューボタン２３が押圧されると、制御部１１はこれを検知し、表示処理部１３を介して液晶モニタ２５にポートレートモードのアシストメニュー画面を表示する。アシストメニューは、撮影時の構図決定の補助枠の表示や構図に基づく撮影条件を含み、前述したように、制御部１１内の不図示のメモリに記録されている。
【００２３】
図６は、本発明の実施形態における電子カメラ１の液晶モニタ２５に表示されるポートレートモードのアシストメニュー画面の例を示す図である。制御部１１は、液晶モニタ２５の左側には前後の選択肢が分かる表示を行い、右側にはアシストの内容が分かる表示を行う。
ポートレートモードのアシストメニューには、図６に示すように、「アシストなし」、人物を中央からずらすことにより画面に空間を作る構図である「人物左」および「人物右」、ポートレート撮影の基本構図である「ウェストショット」、２人撮影用の構図である「ツーショット」、全身撮影用の構図である「縦位置」が含まれる。
【００２４】
ユーザは、液晶モニタ２５に表示されたアシストメニュー画面を目視しながら、いずれかのアシストメニューを選択する。なお、メニュー画面上のアシストメニューの選択は、十字キー２４を操作することによって実現される。
次に、夜景ポートレートモードのアシストメニューは、ポートレートモードと同様であり、アシストメニュー画面の例を図７に示す。
【００２５】
また、風景モードのアシストメニューには、「アシストなし」、空と山をバランス良く配置する構図である「山」、建物をまっすぐに撮影する構図である「建物」、旅行先での記念撮影など、人物と背景とのバランスがとれた構図である「左背景」および「右背景」が含まれる。風景モードのアシストメニュー画面の例を図８に示す。
【００２６】
また、スポーツモードのアシストメニューには、「アシストなし」の他に、前述した３つの撮影シーンとは異なり、構図ではなく、フォーカスを固定して連写を行う「スポーツ観戦」、８コマ／秒で１６コマの撮影を行う「スポーツマルチ連写」が含まれる。スポーツモードのアシストメニュー画面の例を図９に示す。
ここまで説明したように、セレクトダイアル２２によって「ポートレート」、「夜景ポートレート」、「風景」、「スポーツ」のいずれかの撮影シーンが選択され、液晶モニタ２５に表示されるメニュー画面でいずれかのアシストメニューが選択された場合の、制御部１１の動作について以下に説明する。
【００２７】
制御部１１は、まず、選択されたアシストメニューに対応する構図決定の補助枠をスルー画に重ねて表示する。そして、選択されたアシストメニューに対応する撮影条件を読み出して設定する。なお、構図決定の補助枠および撮影条件は、前述したように、制御部１１内の不図示のメモリに記録されている。
図１０〜図１２に、構図決定の補助枠の表示例を示す。図１０から図１２において、点線で示されているのが、構図決定の補助枠である。
【００２８】
図１０は、ポートレートモードにおける枠の表示例を示す。図１０Ａは、「人物左」の枠を示し、図１０Ｂは、「人物右」の枠を示し、図１０Ｃは、「ツーショット」の枠を示し、図１０Ｄは、「ウェストショット」の枠を示し、図１０Ｅは、「縦位置」の枠を示す。
図１１は、夜景ポートレートモードにおける枠の表示例を示し、図１１Ａは、「人物左」の枠を示し、図１１Ｂは、「人物右」の枠を示す。図１１Ｃは、「ツーショット」の枠を示し、図１１Ｄは、「ウェストショット」の枠を示し、図１１Ｅは、「縦位置」の枠を示す。
【００２９】
図１２は、風景モードにおける枠の表示例を示す。図１２Ａは、「山」の枠を示し、図１２Ｂは、「建物」の枠を示し、図１２Ｃは、「左背景」の枠を示し、図１２Ｄは、「右背景」の枠を示す。
【００３０】
図１０〜図１２に示すように、液晶モニタ２５の左上に、選択された撮影シーンを示すマークを表示することにより、ユーザは、現在どのモードで撮影を行っているかを確認することができる。
ユーザは、表示された枠に被写体を合わせることで、構図決定を行うことができる。例えば、風景モードの右背景または左背景は、旅行先での記念撮影など、人物と背景との両方を綺麗に撮影したい時に有効である。枠に被写体である人物を合わせることにより、人物が小さくなりすぎず、バランスのとれた記念撮影を行うことができる、また、構図決定のための枠が表示されるため、他の人に撮影を依頼する場合にも構図を指定することができ、便利である。
【００３１】
なお、セレクトダイアル２２によって、スポーツモードが選択された場合には、構図の表示は行われない。
次に、図１３および図１４を用いて、選択された撮影シーンおよびアシストメニューに対応する撮影条件について説明する。
図１３は、撮影シーンおよびアシストメニューごとの撮影条件を示す表であり、図１４は、撮影条件を説明するための図である。なお、図１３に示されていない各種撮影条件は、公知技術の各シーンモードの設定に準ずるものとする。
【００３２】
図１３中のＡＦエリアおよびＡＥエリアの番号は、図１４の画面内の各エリアの番号に対応する。
ポートレートモードおよび夜景ポートレートモードでは、選択されたアシストメニューの構図に応じて、撮影条件として、測距条件であるＡＦエリアと測光条件であるＡＥエリアとが定められている。ポートレートの場合には、人物にピントを合わせ、背景をぼかすような表現が好ましい。
【００３３】
そのため、例えば、ツーショットの場合には、中央のエリア１を挟む両側のエリア２およびエリア３をＡＦエリアとすることで、人物の間にピントが合うのを防ぎ、２人の人物の顔にピントを合わせることができる。また、エリア２およびエリア３をＡＥエリアとすることで、顔を中心に露出調整を行い、より自然な画像を生成することができる。
【００３４】
また、例えば、縦位置の場合には、中央のエリア１の右側のエリア２をＡＦエリアとすることで、人物の顔にピントを合わせることができる。また、エリア２をＡＥエリアとし、顔を中心に露出調整を行うので、明るい洋服などを着ていても、顔が暗くなってしまうのを防ぐことができる。なお、縦位置の場合には、電子カメラ１内に水平基準器を設け、電子カメラ１の左右どちらの面を上面にして縦位置をとっているかを検知し、検知結果に合わせて枠を表示するようにしても良い。
【００３５】
風景モードでも、選択されたアシストメニューの構図に応じて、ＡＦエリアおよびＡＥエリアが定められている。被写体が風景である場合には、画面全体にピントを合わせるのが好ましい。
そのため、ＡＦエリアおよびＡＥエリアは全域マルチとする。ただし山の場合には、空の部分ではピントが合いにくいので、画面中央から下のエリア１〜４をＡＦエリアとし、メインの被写体である山にピントを合わせる。また、空の部分に露出が影響されるのを防ぐため、画面の下２／３の領域でマルチＡＥを行うことにより、山並みを鮮やかに表現することができる。
【００３６】
以上説明したように、本実施形態によれば、ユーザは、まず、セレクトダイアル２２を用いて撮影シーンの選択を行い、次に、液晶モニタ２５に表示される構図にかかわるアシストメニューから１つのアシストメニューを選択する。アシストメニューには、構図決定の補助枠および撮影条件が記録されているので、アシストメニューを選択することにより、補助枠を用いて、撮影時の構図決定を容易に行うことができ、また、その構図に合った撮影条件を容易に設定することができる。そのため、ユーザは、簡単な操作で所望の画像を得ることができる。
【００３７】
また、本実施形態によれば、アシストメニューに撮影時の測距条件と測光条件を記録しておくことにより、ユーザは、アシストメニューを選択することで、撮影時の測距条件と測光条件も同様に選択することができる。そのため、撮影条件を容易に設定することができる。そのため、簡単な操作で所望の画像を得ることができる。
【００３８】
さらに、本実施形態によれば、撮影シーン選択にかかわるセレクトダイアル２２の状態が、前後の選択肢を視覚的に認識可能に液晶モニタに表示される。そのため、ユーザは、電子カメラ１を被写体に向けて構えたままの状態で、撮影シーンの選択を行うことができる。
なお、本実施形態で用意されていた撮影シーンの他の撮影シーンを用意するようにしても良い。また、本実施形態ではアシストメニューがなかった撮影シーンにアシストメニューを付けるようにしても良い。
【００３９】
また、本実施形態では、セレクトダイアル２２により動画撮影、オート撮影、シーン撮影（アシストメニューを含む）のいずれかを選択する例を示したが、セレクトダイアル２２により他の項目を選択するようにしても良い。例えば、画像の再生や設定メニューなどを選択するようにしても良い。
【００４０】
【発明の効果】
以上説明したように、本発明によれば、簡単な操作でユーザが所望の撮影条件を選択できる電子カメラを提供することができる。したがって、ユーザは、簡単に所望の画像を得ることができる。
【図面の簡単な説明】
【図１】本実施形態の電子カメラ１の機能ブロック図である。
【図２】本実施形態の電子カメラ１の外観を示す図である。
【図３】本実施形態の電子カメラ１における液晶モニタ２５の表示例を示す図である。
【図４】本実施形態の電子カメラ１における液晶モニタ２５の表示例を示す図である。
【図５】本実施形態の電子カメラ１における液晶モニタ２５の表示例を示す図である。
【図６】本実施形態の電子カメラ１におけるアシストメニューの表示例を示す図である。
【図７】本実施形態の電子カメラ１におけるアシストメニューの表示例を示す図である。
【図８】本実施形態の電子カメラ１におけるアシストメニューの表示例を示す図である。
【図９】本実施形態の電子カメラ１におけるアシストメニューの表示例を示す図である。
【図１０】本実施形態の電子カメラ１における構図決定の補助枠の表示例を示す図である。
【図１１】本実施形態の電子カメラ１における構図決定の補助枠の表示例を示す図である。
【図１２】本実施形態の電子カメラ１における構図決定の補助枠の表示例を示す図である。
【図１３】本実施形態の電子カメラ１における撮影シーンおよびアシストメニューごとの条件を示す表である。
【図１４】本実施形態の電子カメラ１における撮影シーンおよびアシストメニューごとの条件を説明するための図である。
【符号の説明】
１  電子カメラ
１０  撮像部
１１  制御部
１２  画像処理部
１３  表示処理部
１４  メモリカード
１５  メモリカード用インタフェース部
２０  操作部
２１  レリーズボタン
２２  セレクトダイアル
２３  メニューボタン
２４  十字キー
２５  液晶モニタ
２６，２７，２８，２９，３０，３１，３２，３３  マーク
３４  サブウィンドウ
【図１】
2004247869.tif 000003
【図２】
2004247869.tif 000004
【図３】
2004247869.tif 000005
【図４】
2004247869.tif 000006
【図５】
2004247869.tif 000007
【図６】
2004247869.tif 000008
【図７】
2004247869.tif 000009
【図８】
2004247869.tif 000010
【図９】
2004247869.tif 000011
【図１０】
2004247869.tif 000012
【図１１】
2004247869.tif 000013
【図１２】
2004247869.tif 000014
【図１３】
2004247869.tif 000015
【図１４】
2004247869.tif 000016